(57)【要約】  耐久性に優れ、比較的簡便に操作できる遠隔操作用掛止具を提供すること。  遠隔操作用掛止具は、中央部に線状体収容空間が形成され、切り欠いた部分に線状体挿脱口２８が形成されてなる回転盤１２と、該回転盤を回転可能に保持する保持体１４と、該保持体を支持するとともに、遠隔操作棒の先端に取り付けられる操作棒取付手段１６と、前記線状体挿脱口に近接した前記回転盤に揺動可能に取り付けられた開閉歯車片１８とを備え、  前記開閉歯車片１８は、前記回転盤に対向する面に固定磁石部２０が形成され、前記回転盤は、前記開閉歯車片が線状体挿脱口を塞ぐ位置にあるときに開閉歯車片の固定磁石部２０と対向する領域に固定磁石部２２が形成されている。
2017183614.tif 000002
【特許請求の範囲】
【請求項１】
線状体を挿脱自在に収容する線状体収容空間が形成された遠隔操作用掛止具であって、
外周の一部を切り欠いて、中央部に線状体収容空間が形成され、切り欠いた部分に線状体挿脱口が形成されてなる回転盤と、該回転盤を回転可能に保持する保持体と、該保持体を支持するとともに、遠隔操作棒の先端に取り付けられる操作棒取付手段と、前記線状体挿脱口に近接した前記回転盤に揺動可能に取り付けられた開閉歯車片とを備え、
前記開閉歯車片は、前記回転盤に対向する面に固定磁石部が形成され、
前記回転盤は、前記開閉歯車片が線状体挿脱口を塞ぐ位置にあるときに開閉歯車片の固定磁石部と対向する領域に固定磁石部が形成されたことを特徴とする、遠隔操作用掛止具。
【請求項２】
遠隔操作用掛止具は、線状体収容部に収容された線状体がのびる側に被覆剥取装置を配設され、
前記被覆剥取装置は、被覆電線を保持する電線保持部を有する皮剥ぎ具本体と、該皮剥ぎ具本体に案内支持されて前記電線保持部に対して進退動する皮剥ぎ刃とを備え、
前記回転盤の回転中心に、前記皮剥ぎ具本体に保持された被覆電線の中心軸が位置するように、前記被覆剥取装置に設けられた装着台座を前記回転盤に設けられた被覆剥取装置保持部へ脱着可能に取り付け、前記遠隔操作棒の回転操作によって前記皮剥ぎ具本体を被覆電線の中心軸回りに回転させることにより、該皮剥ぎ刃を進退動させ、前進位置で前記皮剥ぎ刃を被覆電線の絶縁被覆に喰い込ませ前記皮剥ぎ刃の刃幅で前記絶縁被覆を剥ぎ取ることを特徴とする、請求項１に記載の遠隔操作用掛止具。
【発明の詳細な説明】
【技術分野】
【０００１】
本発明は、遠隔操作用掛止具に関し、特に例えば、高圧架線等に用いられる被覆電線の中間部または端部の被覆材を螺旋状に剥ぎ取る被覆剥取装置を備えた遠隔操作用掛止具に関するものである。
【背景技術】
【０００２】
架線工事、例えば絶縁材料により被覆された被覆電線の端部や中間部を他の電線と接続する工事においては、被覆電線の接続対象箇所の絶縁被覆を剥ぎ取って下地の芯線を露出させる必要がある。このような被覆電線の絶縁被覆を剥ぎ取る作業は、電線間の接続、電路の分離、電線への機器の接続などを目的とした工事の中で必要となる作業であり、停電を避けて、原則として活線の状態で行われる。したがって、被覆剥取装置を絶縁操作棒に取り付けて地上から遠隔操作して作業を行うことになるが、このような作業に、従来、特許文献１に示されるような、遠隔操作用掛止具に配設された被覆剥取装置が用いられていた。
【先行技術文献】
【特許文献】
【０００３】
【特許文献１】特開２００９−６０７５３号公報
【発明の概要】
【発明が解決しようとする課題】
【０００４】
このような先端に被覆剥取装置が配設された遠隔操作用掛止具では、被覆剥取装置の電線保持部および電線収容空間に被覆電線Ａを収容するために、被覆電線Ａの中心軸線に対してほぼ垂直な方向から遠隔操作用掛止具の先端にある被覆剥取装置（遠隔操作棒）を操作して、回転盤の回転軸心を被覆電線の中心軸線にほぼ平行に位置させた状態で、電線保持部および電線収容空間に被覆電線を導入する必要があった。また、被覆剥取装置を回転駆動させて被覆電線の絶縁被覆を剥ぎ取る過程においても、その状態を維持して被覆電線の中心軸線に対してほぼ垂直な方向から被覆剥取装置（遠隔操作棒）を操作しなければならなかった。【０００５】
また、空中に架設された被覆電線Ａに対して、作業場所に付随する地勢的、空間的制約や安全上の問題から、必ずしも被覆電線Ａの中心軸に対して垂直の方向からアプローチすることができない場合もあり、その状況に応じた対応策が別に必要となることもあった。【０００６】
このような状況下において、遠隔操作用掛止具の電線収容空間内に被覆電線を電線挿脱口より挿入させるとき又は電線収容空間内にある被覆電線を電線挿脱口より出す場合に、
電線収容空間内に被覆電線を出入させるときに電線収容空間の出入り口に設けられた開閉歯車片を直接手で操作することなく、電線挿脱口を塞ぐ開閉歯車片を回転盤に係脱させることが必要となる。
従来、開閉歯車片を回転盤に係脱させるためにプランジャが取り付けられているが、開閉歯車片を開閉する度にプランジャに過大な力がかかり、磨耗することが多く、使用できなくなることがある。【０００７】
本発明は、上記の課題に鑑みて為されたものであり、耐久性に優れ、比較的簡便に操作できる遠隔操作用掛止具を提供することを目的とする。
【課題を解決するための手段】
【０００８】
この発明の請求項１にかかる遠隔操作用掛止具は、線状体を挿脱自在に収容する線状体収容空間が形成された遠隔操作用掛止具であって、外周の一部を切り欠いて、中央部に線状体収容空間が形成され、切り欠いた部分に線状体挿脱口が形成されてなる回転盤と、該回転盤を回転可能に保持する保持体と、該保持体を支持するとともに、遠隔操作棒の先端に取り付けられる操作棒取付手段と、前記線状体挿脱口に近接した前記回転盤に揺動可能に取り付けられた開閉歯車片とを備え、前記開閉歯車片は、前記回転盤に対向する面に固定磁石部が形成され、前記回転盤は、前記開閉歯車片が線状体挿脱口を塞ぐ位置にあるときに開閉歯車片の固定磁石部と対向する領域に固定磁石部が形成されたことを特徴とする、遠隔操作用掛止具である。
この発明の請求項２にかかる遠隔操作用掛止具は、遠隔操作用掛止具は、線状体収容部に収容された線状体がのびる側に被覆剥取装置を配設され、前記被覆剥取装置は、被覆電線を保持する電線保持部を有する皮剥ぎ具本体と、該皮剥ぎ具本体に案内支持されて前記電線保持部に対して進退動する皮剥ぎ刃とを備え、前記回転盤の回転中心に、前記皮剥ぎ具本体に保持された被覆電線の中心軸が位置するように、前記被覆剥取装置に設けられた装着台座を前記回転盤に設けられた被覆剥取装置保持部へ脱着可能に取り付け、前記遠隔操作棒の回転操作によって前記皮剥ぎ具本体を被覆電線の中心軸回りに回転させることにより、該皮剥ぎ刃を進退動させ、前進位置で前記皮剥ぎ刃を被覆電線の絶縁被覆に喰い込ませ前記皮剥ぎ刃の刃幅で前記絶縁被覆を剥ぎ取ることを特徴とする、請求項１に記載の遠隔操作用掛止具である。
【発明の効果】
【０００９】
本件の発明によれば、遠隔操作用掛止具は、線状体収容部に収容された線状体がのびる側に被覆剥取装置を配設され、
前記被覆剥取装置は、被覆電線を保持する電線保持部を有する皮剥ぎ具本体と、該皮剥ぎ具本体に案内支持されて前記電線保持部に対して進退動する皮剥ぎ刃とを備え、
前記回転盤の回転中心に、前記皮剥ぎ具本体に保持された被覆電線の中心軸が位置するように、前記被覆剥取装置に設けられた装着台座を前記回転盤に設けられた被覆剥取装置保持部へ脱着可能に取り付け、前記遠隔操作棒の回転操作によって前記皮剥ぎ具本体を被覆電線の中心軸回りに回転させることにより、該皮剥ぎ刃を進退動させ、前進位置で前記皮剥ぎ刃を被覆電線の絶縁被覆に喰い込ませ前記皮剥ぎ刃の刃幅で前記絶縁被覆を剥ぎ取ることができるので、耐久性に優れ、比較的簡便に操作できる遠隔操作用掛止具を提供することができる。【００１０】
この発明の上述の目的、その他の目的、特徴及び利点は、図面を参照して行う以下の発明を実施するための形態の説明から一層明らかとなろう。
遠隔操作用掛止具１０の線状体挿脱口２８を右側にし且つ、被覆剥取装置２００を上にし被覆剥取装置保持部４００を下にした状態において、上側、下側、右側及び左側という。
【図面の簡単な説明】
【００１１】
【図１】本発明の実施の形態に係る遠隔操作用掛止具の概要を説明するための斜視図解図である。
【図２】本発明の実施の形態に係る遠隔操作用掛止具の構造を説明するための正面図解図である。
【図３】図２Ａ−Ａ断面図解図である。
【図４】本発明の実施の形態に係る遠隔操作用掛止具の構造を説明するための背面図解図である。
【図５】本発明の実施の形態に係る遠隔操作用掛止具の構造を説明するための側面図解図である。
【図６】回転盤及び開閉歯車片の作動状態を示す正面図解図である。
【図７】回転盤及び開閉歯車片の作動状態を示す正面図解図である。
【図８】回転盤に開閉歯車片を取り付けた状態の図であり、（Ａ）は正面図解図、（Ｂ）は側面図解図、（Ｃ）は断面図解図である。
【図９】回転盤を示す図であり、（Ａ）は正面図解図、（Ｂ）は側面図解図である。
【図１０】開閉歯車片を示す図であり、（Ａ）は正面図解図、（Ｂ）は側面図解図、（Ｃ）は背面図解図である。
【図１１】本発明の実施の形態１に係る被覆剥取装置の構造を説明するための、（ａ）は正面図解図、（ｂ）は断面図解図である。
【図１２】本発明の実施の形態に係る被覆剥取装置の構造を説明するための正面図解図（線条体挿脱口が閉の状態）である。
【図１３】本発明の実施の形態に係る被覆剥取装置の構造を説明するための側面図解図（線条体挿脱口が開の状態）である。
【図１４】本発明の実施の形態に係る被覆剥取装置の構造を説明するための側面図解図（線条体挿脱口が開の状態）である。
【図１５】本発明の実施の形態に係る遠隔操作用掛止具の構造を説明するための側面図解図である。
【図１６】本発明の実施の形態に係る遠隔操作用掛止具の構造を説明するための正面図解図である。
【図１７】本発明の実施の形態に係る遠隔操作用掛止具の構造を説明するための側面図解図である。
【図１８】本発明の実施の形態に係る遠隔操作用掛止具の構造を説明するための正面図解図である。
【図１９】本発明の実施の形態に係る遠隔操作用掛止具の使用方法を示す正面図解図である。
【図２０】本発明の実施の形態に係る遠隔操作用掛止具の使用方法を示す斜視図解図である。
【発明を実施するための形態】
【００１２】
（遠隔操作用掛止具）
本発明の一実施の形態である、遠隔操作用掛止具１０は、図１、図１３及び図１９に示されるように、被覆剥取装置２００を装着して構成され、遠隔操作用掛止具１０に連結される遠隔操作棒６００からの操作によって、被覆剥取装置２００を線状体である被覆電線Ａの中心軸回りに回転させ、被覆剥取装置２００の皮剥ぎ刃２１６により空中に架線された被覆電線Ａの中間部あるいは端部の絶縁被覆Ｂ（図１５、図１７を参照）を皮剥ぎ刃２１６の刃幅に相当する長さで螺旋状に剥ぎ取るものである。
遠隔操作用掛止具１０は、線状体である被覆電線Ａを挿脱自在に収容する線状体収容空間２６が形成された遠隔操作用掛止具であり、
外周の一部を切り欠いて、中央部に線状体収容空間２６が形成され、切り欠いた部分に線状体挿脱口２８が形成されてなる回転盤１２と、該回転盤１２を回転可能に保持する保持体１４と、該保持体１４を支持するとともに、遠隔操作棒６００の先端に取り付けられる操作棒取付手段１６と、前記線状体挿脱口２８に近接した前記回転盤１２に揺動可能に取り付けられた開閉歯車片１８とを備える。
前記開閉歯車片１８は、前記回転盤１２に対向する面に固定磁石部２０が形成され、
前記回転盤１２は、前記開閉歯車片１８が線状体挿脱口２８を塞ぐ位置にあるときに、開閉歯車片１８の固定磁石部２０と対向する領域に固定磁石部２２が形成されている。
【００１３】
遠隔操作用掛止具１０は、遠隔操作棒６００の回動軸６３０の回転を回転盤１２の回転に伝達する回転伝達部２４（回転伝達手段）が遠隔操作用掛止具１０に連設され、回転盤１２には、被覆剥取装置２００を着脱可能に装着する被覆剥取装置保持部４００が取り付けられている。
前記回転盤１２の回転中心に、前記被覆剥取装置２００に保持された被覆電線Ａの中心軸が位置するように、前記被覆剥取装置２００に設けられた装着台座２１２を前記回転盤１２に設けられた被覆剥取装置保持部４００へ脱着可能に取り付ける。そして、前記遠隔操作棒６００の回転操作によって前記被覆剥取装置２００を被覆電線Ａの中心軸回りに回転させることにより、該皮剥ぎ刃２１６を移動させ、前進位置で前記皮剥ぎ刃２１６を被覆電線Ａの絶縁被覆Ｂに喰い込ませ前記皮剥ぎ刃２１６の刃幅で前記絶縁被覆Ｂを剥ぎ取る。
【００１４】
回転盤１２は、部分円環状本体１２０の外周面に後述のピニオン１００に噛合する歯１２２が設けられ、且つ、断面円形である空間が被覆電線Ａを収容可能な線状体収容空間２６が、中央部に形成され、線状体収容空間２６の一方に開口して形成された線状体挿脱口２８が形成されてなる、部分円環状の平歯車である。
回転盤１２は、回転盤１２と同様に開口した形状を有する１対の回転盤保持部３０が、開口形状を同一になるようにして、回転盤１２の両側面に取り付けられている。
線状体収容空間２６の直径および開口部の幅は、被覆電線Ａの直径より若干大きく設定されており（回転盤保持部３０の場合も同様）、線状体収容空間２６は、被覆電線Ａを収容するための空間である。
線状体収容空間２６の一方に形成された開口部は、被覆電線Ａを線状体収容空間２６に挿入したり、被覆電線Ａを線状体収容空間２６から脱離したりすることを可能とする線状体挿脱口２８として機能する。
なお、回転盤１２を回転可能に保持する保持体１４にも、被覆電線Ａを挿脱するための線状体挿脱口２８たる開口部が設けられている。線状体挿脱口２８は、回転盤１２の線状体挿脱口２８と同様の形状を有しており、保持体１４の開口部に回転盤１２の線状体挿脱口２８が位置したときに、線状体挿脱口２８を介しての被覆電線Ａの挿脱が可能となる。
【００１５】
回転盤１２は、部分円環状本体１２０の外周に、一定の間隔をおいて歯１２２が形成されたセクター歯車の一種である。
【００１６】
開閉歯車片１８は、部分歯本体１３０であり、円弧状本体の外周に、一定の間隔をおいて歯１３２が形成された、部分歯車の一種である。
開閉歯車片１８は、回転盤１２の外径と同径の円弧状に形成された外周面を有し、その外周面に回転盤１２と同一形状の歯１３２が設けられている。
開閉歯車片１８は、線状体挿脱口２８を塞ぐための長さを備え、回転盤１２と開閉歯車片１８とを係止させた状態で、回転盤１２と開閉歯車片１８とは、ピニオン１００に歯合して回転するように、環状輪体に構成されている。
【００１７】
回転盤１２は、線状体挿脱口２８の近傍に揺動軸３２が設けられており、開閉歯車片１８がこの揺動軸３２の回りに揺動可能に取り付けられている。
回転盤１２は、開閉歯車片１８の取り付け部分には、開閉歯車片１８の取り付けと揺動を可能とするため、回転盤１２の一部が切り欠かれることによって段差状の開閉歯車取付部３４が形成されている。
また、回転盤１２は、開閉歯車片１８の先端領域を受け入れ、係合する部分には、開閉歯車片１８を受け入れるため、回転盤１２の一部が切り欠かれることによって、段差状の開閉歯車先端収容部３６が形成されている。
【００１８】
回転盤１２と開閉歯車片１８とは、開閉歯車片１８の先端が回転盤１２の線状体挿脱口２８側端縁の近傍に係止されて、環状輪体を形成するように構成されている。
回転盤１２と開閉歯車片１８とは、環状輪体を形成して、その中央に環状空間が形成されて、被覆電線Ａを挿入するための真円状貫通孔が形成される。
回転盤１２は、線状体収容空間２６側に円弧状縁部が形成され、開閉歯車片１８は、線状体収容空間２６側に円弧状縁部が形成され、回転盤１２の円弧状縁部と回転盤１２の円弧状縁部とが連なって、真円状の環状空間が形成される。
開閉歯車片１８は、開閉歯車取付部３４に取り付けられた領域及び開閉歯車先端収容部３６に収容された領域においても、回転盤１２における開閉歯車片１８の取り付け側の表面と略々平面状になる厚さを有する平板状歯車片に形成されている。
【００１９】
回転盤１２と開閉歯車片１８とは、その歯のピッチ円の径や隣接する歯の間隔は同じであり、回転盤１２の歯１２２と開閉歯車片１８の歯１３２とは、連続して形成されて、ピニオン１００に歯合する歯車列が形成されている。
このようにして、開閉歯車片１８が回転盤１２に係合した状態（線状体挿脱口２８が閉状態）では、回転盤１２と開閉歯車片１８とは、一体の歯車として、ピニオン１００により回転駆動されるように構成されている。
【００２０】
保持体１４は、回転盤１２とピニオン１００とを覆うとともに、回転盤１２の線状体収容空間２６と線状体挿脱口２８に対応して切り欠かれ、その開口部（回転盤嵌着穴７４）に回転盤保持部３０を介して回転盤１２を回転可能に保持するものである。
【００２１】
保持体１４は、保持部本体６０と、保持部本体６０に被装される蓋体６２とを備え、保持部本体６０と蓋体６２とは、その正面形状が略々同一である。
保持体１４は、被覆電線Ａを挿入される略円環状の線状体挿入領域６４と被覆剥取装置２００を取り付けられる被覆剥取装置取付領域６６とを備える。
線状体挿入領域６４は、保持体１４の上方に形成され、被覆剥取装置取付領域６６は、保持体１４の下方に形成されている。
【００２２】
保持体１４の保持部本体６０は、線状体挿入領域６４の内部に、回転盤１２を収容し回転されることができる回転盤回転空間６８が形成され、且つ、線状体収容空間２６が形成されるように構成されている。
保持体１４の保持部本体６０は、その外周縁に沿ってその内側を囲繞するように立設された囲繞壁によって囲まれた、空間を形成されている。
【００２３】
保持体１４は、線状体収容空間２６に被覆電線Ａを挿脱するための線状体挿脱口２８を形成する開口縁部７０が形成されている。
開口縁部７０は、保持部本体６０の第１開口縁部７０ａと、蓋体６２の第２開口縁部７０ｂとを備える。
【００２４】
保持体１４は、線状体挿入領域６４に線状体収容空間２６を形成するための線状体収容縁部７２が形成されている。
線状体収容縁部７２は、開口縁部７０に連続して形成された、真円状の貫通孔で構成されている。
線状体収容縁部７２は、保持部本体６０の第１線状体収容縁部７２ａと、蓋体６２の第２線状体収容縁部７２ｂとを備える。
【００２５】
線状体収容縁部７２は、回転盤保持部３０を回転自在に保持するための回転盤保持部嵌合穴７４を構成する。
第１線状体収容縁部７２ａは、第１回転盤保持部嵌合穴７４ａを構成し、第２線状体収容縁部７２ｂは、第２回転盤保持部嵌合穴７４ｂを構成する。
【００２６】
保持体１４は、被覆剥取装置取付領域６６において、ピニオン１００が回転自在に取り付けられている。
保持部本体６０は、被覆剥取装置取付領域６６に設けられている被覆剥取装置２００と連結されるように、ピニオン１００が回転するための回転空間が形成されている。
【００２７】
回転盤保持部３０は、保持体１４の保持部本体６０の第１線状体収容縁部７２ａに嵌合される第１回転盤保持部３０ａと、保持体１４の蓋体６２の第２線状体収容縁部７２ｂに嵌合される第２回転盤保持部３０ｂとを備える。
第１回転盤保持部３０ａと第２回転盤保持部３０ｂとは、略々同一形状であるが、蓋体６２の第２線状体収容縁部７２ｂに取り付けられる第２回転盤保持部３０ｂは、被覆剥取装置保持部４００が取り付けられる部位が形成されている。
【００２８】
回転盤保持部３０は、回転盤１２の線状体収容空間２６領域に取り付けられる回転盤保持部本体４０と、回転盤保持部本体４０の周面の外方（回転盤１２に取り付く面とは反対側の面）寄りに突設された環状の鍔部４２とが形成されている。
回転盤保持部３０が回転盤１２の側面に取り付けられた状態で、回転盤１２の側面と回転盤保持部３０の鍔部４２との間に環状の凹部４４が形成されるように構成されている。
そして、回転盤保持部３０は、この環状の凹部４４に保持体１４の回転盤保持部嵌合穴７４を取り巻く縁部が嵌め込まれるように回転盤１２の側面に取り付けられ、回転盤１２は、保持体１４に対して回転可能に嵌着されることになる。このため、回転盤保持部嵌合穴７４の直径は回転盤保持部３０の外径（鍔部４２が形成されていない部分）より若干大きく、また、回転盤保持部３０の鍔部４２が形成されていない回転盤保持部本体４０の幅は、保持体１４の厚みより若干広く設定されている。
【００２９】
開閉歯車片１８は、開閉歯車片１８の揺動軸３２側の回転盤１２に対向する面と開閉歯車片１８に対向する回転盤１２の側面（前述の切り欠かれた部分）との間に、線状体挿脱口２８に近接した領域で、保持付勢部材８０が（保持手段）が設けられている。
保持付勢部材８０は、うず巻き状に巻かれたねじりコイルバネで、一方端が開閉歯車片１８に固定され且つ他方端が回転盤１２に固定されている。
開閉歯車片１８を保持体１４の開口部から引き出して線状体挿脱口２８を開状態とした時（図１２及び１６に実線で示す状態）には、保持付勢部材８０の捻転した付勢力により開状態で保持される。  
【００３０】
そして、この開閉歯車片１８の先端が回転盤１２より離間した状態で線状体挿脱口２８が開状態となり、回転盤１２の線状体挿脱口２８が保持体１４の線状体収容空間２６の開口部と一致しているため、被覆電線Ａを線状体収容空間２６に挿入し、収容保持することができる。
また、回転盤１２が時計回り方向に回転するとピニオン１００に歯合した開閉歯車片１８が揺動する。そして、開閉歯車片１８が回転盤１２の切り欠かれた部分に係合し、固定磁石部２０及び固定磁石部２２が作動して、線状体挿脱口２８を閉状態に保持することができる（図９に二点鎖線で示す状態）。
また、遠隔操作棒６００等により開閉歯車片１８に外力を加えれば、開状態にすることができる。
【００３１】
さらに、遠隔操作用掛止具１０による絶縁被覆Ｂの剥ぎ取り作業を終えた後に、遠隔操作棒６００により被覆剥取装置２００を被覆電線Ａから離間する方向に引き戻す操作をすると、回転盤１２の固定磁石部２２と開閉歯車片１８の固定磁石部２０とが引き離され、開閉歯車片１８を揺動させて回転盤１２から離脱させ、線状体挿脱口２８を開状態とすることができ、これにより線状体収容空間２６から被覆電線Ａを脱離させることができる。
【００３２】
保持体１４の外側面（後述の被覆剥取装置保持部４００が取り付けられる側とは反対側）に、電線補助支持部が取り付けられている。
電線補助支持部は、その先端部に被覆電線Ａの外径より若干大きく設定された内径を有する半円環部を備え、この半円環部に被覆電線Ａを当接させることで、線状体収容空間２６に導入しようとする被覆電線Ａを誘導したり、線状体収容空間２６に収容された被覆電線Ａを補助的に支持したりするものであり、また、遠隔操作用掛止具１０の回転動作による被覆電線Ａのふらつきを抑止するものである。
【００３３】
回転伝達部２４は、断面視Ｌ字状の形状を有する支持台１６０と、支持台１６０の底辺部１６０ａの下方に取り付けられた支持筒１７２と、互いに直交して噛合する第１ベベルギア１６４と第２ベベルギア１６６と、第１ベベルギア１６４の軸心に接続される連結回転軸１７０と、これらの構成部品を覆う側面視直角三角形状のカバー１７８とを備え、さらに、保持体１４の内部に、第２ベベルギア１６６と同軸に設けられたピニオン１００を備えて構成されている。
【００３４】
支持筒１７２は、その筒状体の内部に遠隔操作棒６００の先端部を受け入れることにより、被覆剥取装置２００を遠隔操作棒６００によって支持するためのものである。
【００３５】
第１ベベルギア１６４は、支持台１６０の底辺部１６０ａの中央に形成された穴に回転可能に軸支され、ギア部１６４ａが支持台１６０の底辺部１６０ａの上方に配されている。また、第２ベベルギア１６６は、支持台１６０の側辺部１６０ｂ中央に形成された穴に回転可能に軸支され、ギア部１６６ａが支持台１６０の側辺部１６０ｂの側方に配されて第１ベベルギア１６４のギア部１６４ａに噛合するとともに、ギア部１６６ａと反対側の軸心部１６６ｂが支持台１６０の側辺部１６０ｂから突出して保持体１４内を挿通し、その軸心部１６６ｂにピニオン１００が取り付けられている。連結回転軸１７０は、支持筒１７２の中心軸上に位置して配され、上端が第１ベベルギア１６４の軸心部１７２ｂに接合されるとともに、下端には遠隔操作棒６００の回動軸と係合するために断面視六角形状の頭部１７４が設けられている。
【００３６】
遠隔操作棒６００としては、手元のハンドルを回転操作することにより、その回転が支持筒１７２及び第２ベベルギア１６６を介してピニオン１００の回動軸に伝達される、周知の遠隔操作棒６００が用いられる。
支持筒１７２に遠隔操作棒６００の先端を差し込むことにより、連結回転軸１７０（頭部１７４）に遠隔操作棒６００の回動軸６３０の先端部を連結させ、被覆剥取装置２００を遠隔操作棒６００の先端に支持することができる。そして、この状態で、遠隔操作棒６００手元のハンドルを回転操作することにより、連結回転軸１７０を回転させ、連結回転軸１７０に接合された第１ベベルギア１６４とこれに噛合する第２ベベルギア１６６とを回転させ、さらに第２ベベルギア１６６と同軸に取り付けられたピニオン１００を回転させ、ピニオン１００に噛合する回転盤１２およびそれに回転盤保持部３０を介して取り付けられた被覆剥取装置２００を回転させることができる。
（被覆剥取装置）
【００３７】
被覆剥取装置２００は、線状体収容空間２６に収容された線状体たる被覆電線Ａがのびる側に被覆剥取装置２００を配設されている。
被覆剥取装置２００の構成について、主として図１１ないし図１８に基づいて説明する。
以下の説明において、後述の操作リング２１０が電線保持部材（上保持部材２０２、下保持部材２０４）の上方に位置し、遠隔操作棒６００の先端を差し込む側が下方に位置する状態で上下方向を説明する。
被覆剥取装置２００は、被覆電線Ａを保持する電線保持部２０６を有する皮剥ぎ具本体（上保持部材２０２及び下保持部材２０４）と、該皮剥ぎ具本体に案内支持されて前記電線保持部に対して移動する皮剥ぎ刃２１６とを備える。
【００３８】
被覆剥取装置２００は、遠隔操作用掛止具１０に（具体的には、後述の被覆剥取装置保持部４００に）着脱可能に装着することができるように構成されている。
被覆剥取装置２００は、対向配置した上保持部材２０２と下保持部材２０４の対向面にそれぞれ断面半円形状の電線保持凹部２０２ａ及び電線保持凹部２０４ａが形成されており、図示するように、上保持部材２０２と下保持部材２０４との対向面を閉じたとき、電線保持凹部２０２ａと電線保持凹部２０４ａとにより形成される断面円形の電線保持部２０６に被覆電線Ａの中間部を収容保持することができる。
【００３９】
なお、本実施の形態では、被覆剥取装置２００として、上保持部材２０２と下保持部材２０４に、それぞれ内径が異なる２つの電線保持凹部２０２ａと電線保持凹部２０４ａが形成されたものを例示しているが、構成ならびに機能の面では両者同じである。被覆剥取装置２００は、垂直軸回りに１８０°回転させて被覆剥取装置保持部４００に装着することにより、被覆剥ぎ取り作業の対象となる被覆電線Ａに対応した電線保持凹部２０２ａ及び電線保持凹部２０４ａを後述の被覆剥取装置２００の線状体収容空間２６に対向配置することで、その電線保持凹部２０２ａ及び電線保持凹部２０４ａを使用することができる。
以下の説明では、特に断らない限り、この作業対象となる被覆電線Ａに対応した電線保持凹部２０２ａ及び電線保持凹部２０４ａを線状体収容空間２６に対向配置した状態で装着した被覆剥取装置２００について説明する。
なお、被覆剥取装置２００は、上保持部材２０２と下保持部材２０４に、それぞれ１つの電線保持凹部２０２ａ又は電線保持凹部２０４ａが形成されたものであってもよい。
【００４０】
上保持部材２０２と下保持部材２０４とは、各上保持部材２０２及び下保持部材２０４の中央部に設けられたねじ穴２０２ｂ及びねじ穴２０４ｂに螺合される雄ねじ２０８ａを有する進退軸２０８（螺軸）によって連結され、この進退軸２０８の一方の端部（図では上端部）には上方に円環部２１０ａを有する操作リング２１０が取り付けられている。
進退軸２０８の雄ねじ２０８ａは、進退軸２０８の上下方向の中間位置２０８ｃを挟んだ上方部分（上保持部材２０２のねじ穴２０２ｂに螺合する部分）と下方部分（下保持部材２０４のねじ穴２０２ｂに螺合する部分）とでは、互いに逆方向の螺旋状に形成されている。
したがって、この操作リング２１０（円環部２１０ａ）を一方向に回転させると、上保持部材２０２と下保持部材２０４とを互いに接近する方向に移動させて、双方の上保持部材２０２と下保持部材２０４との間の対向間隔を狭めることができ、逆に、他方向に回転させると、上保持部材２０２と下保持部材２０４とを互いに離間する方向に移動させて、双方の上保持部材２０２と下保持部材２０４との間の対向間隔を広げることができる。
【００４１】
また、進退軸２０８の他方の端部（図では上端部）は装着台座２１２の中央部に設けられた貫通穴２１２ａを貫通し、その端部に取り付けたナット材２０８ｂとの間では雄ねじ２０８ａに螺合していないため、装着台座２１２は進退軸２０８の回転に拘束されることなく進退軸２０８端部に係留されている。さらに、上保持部材２０２と下保持部材２０４の雌ねじ穴２０２ｂ，ねじ穴２０４ｂに近接した位置に各上保持部材２０２及び下保持部材２０４を貫通する１対のガイド穴２０２ｃ及びガイド穴２０４ｃが設けられ、装着台座２１２から起立する１対のガイド軸２１４がこれらの１対のガイド穴２０２ｃ，ガイド穴２０４ｃを貫通している。このような構成により、上保持部材２０２と下保持部材２０４とは、進退軸２０８の回転により位置ずれを起こすことなく、装着台座２１２下面から所定寸法離れた進退軸２０８の中間位置２０８ｃを挟んで、その対向間隔を狭めたり、広げたりすることができる。
【００４２】
そして、電線保持部材（上保持部材２０２、下保持部材２０４）の上方に操作リング２１０が位置する状態では、電線保持部２０６の中心が回転盤１２の回転軸心上にあり、上保持部材２０２と下保持部材２０４との対向間隔を広げ、後述の開閉歯車片１８を開いて線状体挿脱口２８を開の状態とすれば、電線保持部２０６および線状体収容空間２６に被覆電線Ａを導入することができる。
次に、電線保持部２０６および線状体収容空間２６に被覆電線Ａを導入した状態から、操作リング２１０が電線保持部２０６の下方に位置するように被覆剥取装置２００を略１８０°回転させ、先端にフックを有する周知の開閉操作棒６５０を用いて、この操作リング２１０の円環部２１０ａにフックを差し込み、一方向（本実施の形態では、下方から見て時計方向）に回転させると、上保持部材２０２と下保持部材２０４とをそれぞれ上動、下動させて双方の上保持部材２０２と下保持部材２０４との間の対向間隔を狭めることができ、導入した被覆電線Ａを電線保持部２０６内に収容保持することができる。
さらに、被覆剥ぎ取り作業を終えた後、操作リング２１０の円環部２１０ａに開閉操作棒６５０のフックを再度差し込み、他方向（本実施の形態１では、下方から見て反時計方向）に回転させると、上保持部材２０２と下保持部材２０４とをそれぞれ下動、上動させて双方の上保持部材２０２と下保持部材２０４との間の対向間隔を広げることができ、開閉歯車片１８を開いて線状体挿脱口２８を開の状態とすれば、収容していた被覆電線Ａを電線保持部２０６および線状体収容空間２６から脱離させることができる。
【００４３】
上下の各上保持部材２０２と下保持部材２０４との対向面にそれぞれ形成された電線保持凹部２０２ａ及び電線保持凹部２０４ａの内周面には、双方の対向面を閉じた状態で電線保持凹部２０２ａと電線保持凹部２０４ａとの間で連続するように螺旋状の送り出し突起２０２ｄ及び送り出し突起２０４ｄが形成されている（図１１及び図１２を参照）。
そして、各上保持部材２０２及び下保持部材２０４には、皮剥ぎ刃２１６を取り付けるための取付開口２１８が設けられ、皮剥ぎ刃２１６は、その刃先２１６ａがこの取付開口２１８から所定寸法だけ電線保持部２０６内に突出し、下保持部材２０４の外側面から電線保持部２０６の中心方向に向けて所定角度傾斜させた状態で、かつ、送り出し突起２０２ｄ，送り出し突起２０４ｄの螺旋傾斜に対応する傾斜角度（所定の前進角）をもって上保持部材２０２に取り付けられている。
また、皮剥ぎ刃２１６により剥ぎ取られた絶縁被覆Ｂは、この取付開口２１８を通じて外部に排出される。
【００４４】
ここで、電線保持部２０６内に突出する寸法（上記の所定寸法）と電線保持部２０６中心方向に向けての傾斜角度（上記の所定角度）は、被覆電線Ａの芯線Ｃの外径や絶縁被覆Ｂの厚さに対応して決められ、皮剥ぎ刃２１６の刃先２１６ａを被覆電線Ａの芯線Ｃと絶縁被覆Ｂとの境界部に向けて、その接線方向から進出させる（絶縁被覆に食い込ませる）ように設定することのできる寸法であり、角度である。
また、送り出し突起２０２ｄ及び送り出し突起２０４ｄは、絶縁被覆Ｂの外表面に係合し、被覆剥取装置２００が被覆電線Ａの中心軸回り（図１８において時計方向）に１回転するのに伴い、被覆電線Ａを送り出し突起２０２ｄ及び送り出し突起２０４ｄのピッチで図１７の左方に送り出すことができる。そして、皮剥ぎ刃２１６の刃先２１６ａがこの送り出し突起２０２ｄ及び送り出し突起２０４ｄの螺旋傾斜に対応する前進角（送り出されてくる被覆電線Ａに向かっていく方向に傾斜された角度）をもって取り付けられているため、刃先２１６ａが剥ぎ取った絶縁被覆Ｂは、刃先２１６ａの後方（刃先２１６ａの刃幅方向に垂直な方向）に向けて、取付開口２１８から排出されることになる。
【００４５】
装着台座２１２は、上保持部材２０２の上方に設けられ、被覆剥取装置２００を後述の被覆剥取装置保持部４００に着脱可能に装着するためのものであり、その側方の面（図１２で右方）に係合穴２１２ｂが設けられ、その前方の面（図１２で手前方）に装着穴２１２ｃが設けられている。
係合穴２１２ｂおよび装着穴２１２ｃには、それぞれ後述の被覆剥取装置保持部４００の係合突起４１２ｄ及び装着ピン４１２ｅが嵌め込まれることにより、被覆剥取装置２００を被覆剥取装置保持部４００に装着固定する。
（被覆剥取装置保持部）
【００４６】
さらに、回転盤保持部３０の一方の外側面に、ネジ止めにより取り付けられている被覆剥取装置保持部４００の構成について、主として図１ないし５に基づいて説明する。
【００４７】
被覆剥取装置保持部４００は、この被覆剥取装置保持部４００を回転盤保持部３０の外側面に取り付けられる取付部４１０を有している。
取付部４１０は、回転盤保持部３０に近い一方端が回転盤保持部３０の外側面にねじで固定されるとともに、他方端に被覆剥取装置装着部４１２が形成されている。
【００４８】
被覆剥取装置装着部４１２は、回転盤１２の回転軸とほぼ平行な方向に長辺を有する長方形状の装着部底板４１２ａと、その先端側（回転伝達部２４（回転伝達手段）から離れる側）の長辺の前後両側から立ち上げられた１対の装着部側板４１２ｂと、装着部底板４１２ａの回転伝達部２４（回転伝達手段）側の短辺から立ち上げられた装着部取付板４１２ｃとを有し、装着部側板４１２ｂと装着部取付板４１２ｃとで囲まれた装着部底板４１２ａ上の領域に被覆剥取装置２００の装着台座２１２が着脱可能に保持される。
【００４９】
装着部取付板４１２ｃの下方には、装着部取付板４１２ｃの内側（装着台座２１２側）に突出する係合突起４１２ｄが設けられ、また、装着部側板４１２ｂには貫通孔が穿設され、この貫通孔を挿通して、先端が装着部側板４１２ｂの内側（装着台座２１２側）に突出する方向に付勢された装着ピン４１２ｅが設けられている。
係合突起４１２ｄおよび装着ピン４１２ｅは、それぞれ装着台座２１２の対応する位置に設けられた前述の係合孔２１２ｂと装着穴２１２ｃに係合するものである。
【００５０】
装着ピン４１２ｅを付勢力に抗して装着部側板４１２ｂから退出するように操作して、装着台座２１２を被覆剥取装置装着部４１２に受け入れ、係合突起４１２ｄを係合穴２１２ｂに係合させた状態で、さらに、装着ピン４１２ｅを付勢力によって装着部側板４１２ｂから進出するように操作して装着穴２１２ｃに係合することにより、被覆剥取装置２００（装着台座２１２）を被覆剥取装置装着部４１２に装着固定することができる。
また、被覆剥取装置２００（装着台座２１２）を被覆剥取装置装着部４１２から取り外す場合には、装着ピン４１２ｅを付勢力に抗して装着部側板４１２ｂから退出するように操作して、単に装着台座２１２を被覆剥取装置装着部４１２から引き抜けばよい。
【００５１】
なお、被覆剥取装置保持部４００における回転盤１２の回転中心から装着部底板４１２ａの上面までの鉛直方向の寸法ｄ（図１３を参照）は、被覆剥取装置２００における電線保持部２０６に収容される被覆電線Ａの中心軸（すなわち、進退軸２０８の中間位置２０８ｃ）から装着台座２１２の底面までの鉛直方向の寸法と同一に設定されており、さらに、被覆剥取装置保持部４００における回転盤１２の回転中心から装着部底板４１２ａの中心線までの装着部底板４１２ａの上面に沿った方向の寸法ｓ（図１３を参照）は、被覆剥取装置２００における電線保持部２０６に収容される被覆電線Ａの中心軸から装着台座２１２の中心線までの装着台座２１２の底面に沿った方向の寸法と同一に設定されている。
（刃先）
【００５２】
上下の各上保持部材２０２，下保持部材２０４の対向面にそれぞれ形成された電線保持凹部２０２ａ及び電線保持凹部２０４ａの内周面には、図１１に下保持部材２０４側の電線保持凹部２０２ａとして示すように、両電線保持凹部２０２ａ及び電線保持凹部２０４ａに連続するように螺旋状に送り出し突起２０２ｄ及び送り出し突起２０４ｄが形成されている。
下保持部材２０４には、前記送り出し突起２０２ｄ及び送り出し突起２０４ｄの螺旋傾斜に対応する傾斜角度にして皮剥ぎ刃２１６が取り付けられ、その刃先が電線保持凹部２０２ａ及び電線保持凹部２０４ａの奥側方向に斜めに向くように構成されている。
この皮剥ぎ刃２１６は、図１１に示すように、上保持部材２０２と下保持部材２０４との対向面を閉じたとき、その刃先が電線保持凹部２０２ａ及び電線保持凹部２０４ａに突出するように取り付けられる。
皮剥ぎ刃２１６の刃先が電線保持凹部２０２ａ及び電線保持凹部２０４ａ内に突出する突出量は、被覆電線Ａの絶縁被覆Ｂの厚さに対応する。
また皮剥ぎ刃２１６の刃先近傍には、剥ぎ取られた絶縁被覆Ｂを外部に排出するための排出口２２０が上保持部材２０２と下保持部材２０４との間に形成されている。
【００５３】
一対の上保持部材２０２と下保持部材２０４は、閉位置において内面にほぼ連続した送り出し突起２０２ｄ及び送り出し突起２０４ｄを持った２つの電線保持凹部２０２ａ及び電線保持凹部２０４ａを形成する。
これら２つの電線保持凹部２０２ａ及び電線保持凹部２０４ａは、夫々の内径が相異なり、夫々に適合する直径の被覆電線Ａに夫々の送り出し突起２０２ｄ及び送り出し突起２０４ｄが圧接するようになっている。
夫々の送り出し突起２０２ｄ及び送り出し突起２０４ｄは、それらの内径が最小である山頂部２０２ｅ、２０４ｅの幅を小さくしてあり、これら山頂部２０２ｅ、２０４ｅが被覆電線Ａの絶縁被覆Ｂの外周に喰い込んで、被覆電線Ａが上保持部材２０２及び下保持部材２０４に対して被覆電線Ａの長手方向ａに滑らないように構成されている。
【００５４】
一方の上保持部材２０２の夫々の電線保持凹部２０２ａの内面には、刃先が被覆電線Ａの芯線Ｃに接触せずに極僅かな距離を設けて絶縁被覆Ｂに喰込むように皮剥ぎ刃２１６が突設されている。
この皮剥ぎ刃２１６の夫々は、必要に応じ交換可能であり、その突出量は最適な設定値に予め調整可能である。
そして、この皮剥ぎ刃２１６の夫々の刃先の被覆電線Ａの長手方向ａの幅（以降刃先幅と称する）は、夫々の電線保持凹部２０２ａ及び電線保持凹部２０４ａの送り出し突起２０２ｄ及び送り出し突起２０４ｄのネジピッチより少しだけ大きく設けられており、これら電線保持凹部２０２ａ及び電線保持凹部２０４ａに沿った一対の上保持部材２０２と下保持部材２０４の被覆電線Ａ回りの螺旋移動において、剥取り残しがないように構成されている。又、これら上保持部材２０２と下保持部材２０４の皮剥ぎ刃２１６の夫々の刃先近傍には、剥取られた絶縁被覆Ｂを上保持部材２０２と下保持部材２０４の側方へ導出するための排出口２２０が設けられている。
【００５５】
電線保持凹部２０２ａ及びねじ穴２０２ｂの側面には、剥ぎ取り後の絶縁被覆Ｂを導出する窓が設けられていると共に、この窓内に皮剥ぎ刃２１６が設けられている。この皮剥ぎ刃２１６は、摺接する被覆電線Ａに対して所定の前進角をもって配置されている。図２０では、被覆電線Ａの絶縁被覆Ｂが剥ぎ取られ、芯線Ｃが現れている様子が示されている。
【００５６】
上保持部材２０２は、皮剥ぎされた絶縁被覆Ｂが排出口２２０より排出されてきたときに、排出口２２０の周辺に巻き付くことを防止するための巻き付け防止部２３０が形成されている。
巻き付け防止部２３０は、平面視長方形で横断面Ｌ字型の平板状板材で形成され、固着部２３２を上保持部材２０２の上面に固定され、防止片部２３４が上保持部材２０２の上方に向けて突設されている。
而して、絶縁被覆Ｂは、防止片部２３４に突き当たり上方に向けてのびてゆくように進み、巻き付け防止部２３０により排出口２２０の周辺等に巻き付くことがない。
（遠隔操作棒６００）
【００５７】
本実施形態の遠隔操作棒６００は、連結回転軸１７０を回転させるためのソケット本体６１０と、前記ソケット本体６１０を遠隔操作するための絶縁性の回動軸６３０と、前記回動軸６３０を回転自在に保持する操作杆６３２と、ソケット本体６１０と操作杆６３２とを連結するための連結アダプター６２０とから構成されている。
【００５８】
前記回動軸６３０は、図１９に示すように、大径の頭部を備えた円筒形状に形成されており、その内周側中空部は、上端開口から下端開口に向けて、連結回転軸１７０を保持する連結回転軸保持部が形成されている。
【００５９】
前記連結回転軸保持部は、ソケット本体６１０の上端開口から下方に所定深さをその横断面形状が正六角形となるように形成されており、その内側面には複数のマグネットが埋め込まれている。そして、連結回転軸１７０は前記連結回転軸保持部内に挿入された際に、前記マグネットにより磁着保持される。
【００６０】
回動軸６３０は、操作杆６３２の中に回転自在に挿通されており、操作杆６３２を把持しながら、回動軸６３０を回転させることができるように構成されている。
【００６１】
開閉操作棒６５０は、図１９に示すように、棒状に形成された操作杆６５２の先端に略Ｕ字型のフック６５４が取り付けられている。
【００６２】
（被覆剥取装置を用いた被覆電線の被覆剥取方法）
次に、図１１〜図１９を参照して、本発明の被覆剥取装置２００を用いた被覆電線Ａの被覆剥取方法について、説明する。
【００６３】
先ず、操作棒取付手段１６の支持筒１７２に遠隔操作棒６００の先端を挿入し、被覆剥取装置２００を支持するとともに、遠隔操作棒６００の回動操作手段の先端部を連結回転軸１７０に連結する。
そして、被覆剥取装置２００の上保持部材２０２及び下保持部材２０４の電線保持部２０６および回転盤１２の線状体挿脱口２８を開の状態（保持付勢部材８０により開状態を維持）にして、被覆剥取装置２００を空中に架線された被覆電線Ａの中間部に接近させ、電線保持部２０６および線状体収容空間２６に被覆電線Ａの中間部を収容する。
【００６４】
なお、被覆電線Ａの中間部を電線保持部２０６および線状体収容空間２６に収容し終えた後、遠隔操作棒６００の操作により回転盤１２を回転すれば、線状体挿脱口２８を開状態に維持していた固定磁石部２０と固定磁石部２２とが外れ、開閉歯車片１８は保持付勢部材８０の付勢力により揺動し、線状体挿脱口２８を閉状態にすることができる。
【００６５】
次に、開閉操作棒６５０の先端のフック６５４を操作リング２１０に懸架して、これを回転させることにより進退軸２０８を回転させ、上保持部材２０２を電線保持部２０６に向けて（進退動の上限まで）前進させて、上保持部材２０２及び下保持部材２０４（電線保持部２０６）に保持された被覆電線Ａの絶縁被覆Ｂに皮剥ぎ刃２１６の刃先２１６ａを喰い込ませる。
【００６６】
次に、遠隔操作棒６００の回動操作手段である回動軸６３０による遠隔操作により連結回転軸１７０を回転させ、この回転力を回転伝達部２４を介して回転盤１２に伝達し、回転盤１２を回転させる。これに伴い、回転盤保持部３０を介して回転盤１２に取り付けられた被覆剥取装置２００を被覆電線Ａの中心軸上にある軸心回りに回転させ、皮剥ぎ刃２１６がその刃幅で絶縁被覆Ｂを剥ぎ取ることになる。
【００６７】
また、絶縁被覆Ｂを剥ぎ取り終えた後、遠隔操作棒６００を被覆電線Ａから離間する方向に引き戻し操作すると、固定磁石部２０と固定磁石部２２が離間して、保持付勢部材８０の付勢力に抗して、開閉歯車片１８が回動して線状体挿脱口２８が開き、被覆剥取装置２００を被覆電線Ａから離脱させることができる。
【００６８】
このような被覆剥取方法では、作業者が行う操作は、（１）遠隔操作棒６００を用いて被覆電線Ａを被覆剥取装置２００の電線保持部２０６と遠隔操作用掛止具１０の線状体収容空間２６に収容する操作と、（２）開閉操作棒６５０を用いて電線保持部２０６内に収容された被覆電線Ａに皮剥ぎ刃２１６を喰い込ませる操作と、（３）遠隔操作棒６００の回動操作手段によって被覆剥取装置２００を被覆電線Ａの中心軸上にある軸心回りに回転させる操作だけであり、このような簡単な操作によって、空中に架線された被覆電線Ａが活線の状態でその絶縁被覆Ｂを容易に剥ぎ取ることができるため、安全であり、しかも、作業効率が高い。
【００６９】
したがって、このような被覆剥取装置２００によれば、空中に架設された被覆電線Ａに対して遠隔操作棒６００に連結された被覆剥取装置２００を地上あるいは作業車上から、被覆電線Ａを電線保持部２０６および線状体収容空間２６に収容した後、最も作業しやすい姿勢と角度で遠隔操作棒６００の回動操作により回転盤１２を回転させるだけで、被覆剥取装置２００を被覆電線Ａの中心軸回りに回転させることができるため、容易に被覆電線Ａの絶縁被覆Ｂを剥ぎ取ることができる。
【００７０】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００７１】
１０  遠隔操作用掛止具
１２  回転盤
１４ 保持体
１６  操作棒取付手段
１８  開閉歯車片
２０  固定磁石部（開閉歯車片）
２２  固定磁石部（回転盤）
２４ 回転伝達部（回転伝達手段）
２６  線状体収容空間
２８ 線状体挿脱口
３０  回転盤保持部
３０ａ  第１回転盤保持部
３０ｂ  第２回転盤保持部
３２  揺動軸
３４  開閉歯車取付部
３６  開閉歯車先端収容部
４０  回転盤保持部本体
４２  鍔部
４４  凹部
６０  保持部本体
６２  蓋体
６４  線状体挿入領域
６６  被覆剥取装置取付領域
６８  回転盤回転空間
７０  開口縁部
７０ａ  第１開口縁部
７０ｂ  第２開口縁部
７２  線状体収容縁部
７２ａ  第１線状体収容縁部
７２ｂ  第２線状体収容縁部
７４  回転盤保持部嵌合穴
７４ａ  第１回転盤保持部嵌合穴
７４ｂ  第２回転盤保持部嵌合穴
８０  保持付勢部材
１００  ピニオン
１２０  部分円環状本体
１２２  歯
１３０  部分歯本体
１３２  歯
１６０  支持台
１６０ａ  底辺部
１６０ｂ  側辺部
１６４  第１ベベルギア
１６４ａ  ギア部
１６６  第２ベベルギア
１６６ａ  ギア部
１６６ｂ  軸心部
１７０  連結回転軸
１７２  支持筒
１７２ｂ  軸心部
１７４  頭部
１７８  カバー
（被覆剥取装置）
２００  被覆剥取装置
２０２  上保持部材
２０２ａ，２０４ａ  電線保持凹部
２０２ｂ，２０４ｂ  ねじ穴
２０２ｃ，２０４ｃ  ガイド穴
２０２ｄ，２０４ｄ  送り出し突起
２０４  下保持部材
２０６  電線保持部
２０８  進退軸
２０８ａ  雄ねじ
２０８ｂ  ナット材
２０８ｃ  中間位置
２１０  操作リング
２１０ａ  円環部
２１２  装着台座
２１２ａ  貫通穴
２１２ｂ  係合穴
２１２ｃ  装着穴
２１４  ガイド軸
２１６  皮剥ぎ刃
２１６ａ  刃先
２１８  取付開口
２２０  排出口
２０２ｅ、２０４ｅ  山頂部
２３０  巻き付け防止部
２３２  固着部
２３４  防止片部
（被覆剥取装置保持部）
４００  被覆剥取装置保持部
４１０  取付部
４１２  被覆剥取装置装着部
４１２ａ  装着部底板
４１２ｂ  装着部側板
４１２ｃ  装着部取付板
４１２ｅ  装着ピン
４１２ｄ  係合突起
（遠隔操作棒６００）
６１０  ソケット本体
６２０  連結アダプター
６３０  回動軸
６３２  操作杆
６５０  開閉操作棒
６５２  操作杆
６５４  フック
ｄ  寸法
ｓ  寸法
Ａ  被覆電線
Ｂ  絶縁被覆
Ｃ  芯線
【図１】
2017183614.tif 000003
【図２】
2017183614.tif 000004
【図３】
2017183614.tif 000005
【図４】
2017183614.tif 000006
【図５】
2017183614.tif 000007
【図６】
2017183614.tif 000008
【図７】
2017183614.tif 000009
【図８】
2017183614.tif 000010
【図９】
2017183614.tif 000011
【図１０】
2017183614.tif 000012
【図１１】
2017183614.tif 000013
【図１２】
2017183614.tif 000014
【図１３】
2017183614.tif 000015
【図１４】
2017183614.tif 000016
【図１５】
2017183614.tif 000017
【図１６】
2017183614.tif 000018
【図１７】
2017183614.tif 000019
【図１８】
2017183614.tif 000020
【図１９】
2017183614.tif 000021
【図２０】
2017183614.tif 000022
【国際調査報告】
2017183614.tif 000023
2017183614.tif 000024